(57)【要約】【課題】複数種類のカレンダー情報を分かり易く表示でき、かつ、充電量を表示できる時計を提供すること。【解決手段】複数種類のカレンダー情報を表示可能なアナログ電子時計１であって、二次電池と、二次電池の充電量を検出する充電量検出部と、カレンダー情報の種類を指示する第１指針２１と、第１指針２１が指示する種類のカレンダー情報の値を指示する第２指針１３と、を備え、第１指針２１は、充電量を指示可能に構成されている。【選択図】図１
2018109651.tif 000002
【特許請求の範囲】
【請求項１】
複数種類のカレンダー情報を表示可能な時計であって、
文字板と、
カレンダー情報の種類を指示する第１指針と、
前記第１指針が指示する種類のカレンダー情報の値を指示する第２指針と、を備え、
前記文字板の外周縁には、カレンダー情報の値として１〜３１の数字が表示される
ことを特徴とする時計。
【請求項２】
複数種類のカレンダー情報を表示可能な時計であって、
小窓が設けられた文字板と、
カレンダー情報の種類を指示する第１指針と、
前記第１指針が指示する種類のカレンダー情報の値を指示する第２指針と、を備え、
前記小窓の周囲には、カレンダー情報の種類を示す文字が表示され、前記文字板の外周縁には、カレンダー情報の値が表示され、
前記カレンダー情報の値には、０に対応する記号と、１〜３１の数字とが含まれ、
前記文字板において、前記記号および前記数字の１〜３１は、時計表面側から見て１２時位置から右回りに順番に配置され、
前記数字の１〜３１は等間隔で配置され、前記記号と前記数字の１との間隔および前記記号と前記数字の３１との間隔は、前記数字の１〜３１が配置される間隔よりも広い
ことを特徴とする時計。
【請求項３】
請求項２に記載の時計において、
前記第１指針が指示可能なカレンダー情報の種類は、日、月、閏年からの経過年である
ことを特徴とする時計。
【請求項４】
請求項３に記載の時計において、
前記第１指針が閏年からの経過年を指示する場合、前記第２指針は０に対応する前記記号および前記数字の１〜３を指示する
ことを特徴とする時計。
【請求項５】
請求項１から請求項４のいずれか一項に記載の時計において、
前記第１指針は、曜日を指示可能に構成され、
前記第１指針が曜日を指示する場合、前記第２指針は、日の値を指示する
ことを特徴とする時計。
【請求項６】
請求項１から請求項５のいずれか一項に記載の時計において、
前記第１指針は、二次電池の充電量を指示可能である
ことを特徴とする時計。
【請求項７】
請求項６に記載の時計において、
前記第１指針が前記充電量を指示する場合、前記第２指針は、日の値を指示する
ことを特徴とする時計。
【請求項８】
請求項１から請求項７のいずれか一項に記載の時計において、
前記数字の１〜１２は、日の値と月の値とを兼ねる
ことを特徴とする時計。
【発明の詳細な説明】
【技術分野】
【０００１】
本発明は、カレンダー情報を表示する時計に関する。
【背景技術】
【０００２】
従来、アナログ時計において、指針で日付を表示する時計が知られている（例えば、特許文献１参照）。
特許文献１の時計では、文字盤の外周表面に、１〜３１の数字が表示され、これらの数字を日付針が指示することで日付が表示される。
【先行技術文献】
【特許文献】
【０００３】
【特許文献１】特許第２８５２７６９号公報
【発明の概要】
【発明が解決しようとする課題】
【０００４】
ところで、時計では、パーペチュアル時計のように、日付に加えて月や閏年からの経過年（以下、単に経過年とも称す）を表示することが求められる場合があるが、特許文献１の時計では、月や経過年を表示することについては開示されていない。特許文献１の時計において、日付に加えて月や経過年を表示させるには、例えば、日付針に、１日〜３１日を示す記号や目盛に加えて、１月〜１２月、０年〜３年を示す記号や目盛を指示させることが考えられる。しかしながら、この場合、日付針が指示する記号や目盛の数が多くなり、指示位置の間隔を狭くする必要がある。このため、日付、月、経過年をユーザーが確認しにくくなるという問題がある。
また、充電式電池（二次電池）で駆動する時計の場合、充電式電池の充電量を検出して表示することが求められる場合があるが、特許文献１の時計は、電池が充電式であることも、充電量を表示させることについても開示されていない。このため、カレンダー情報に加えて充電量が表示できる時計が求められている。
【０００５】
本発明の目的は、複数種類のカレンダー情報を分かり易く表示でき、かつ、充電量を表示できる時計を提供することにある。
【課題を解決するための手段】
【０００６】
本発明は、複数種類のカレンダー情報を表示可能な時計であって、二次電池と、前記二次電池の充電量を検出する充電量検出部と、カレンダー情報の種類を指示する第１指針と、前記第１指針が指示する種類のカレンダー情報の値を指示する第２指針と、を備え、前記第１指針は、前記充電量を指示可能に構成されていることを特徴とする。
【０００７】
表示可能なカレンダー情報の種類は、例えば、日、月、閏年からの経過年等であり、カレンダー情報の値は、例えば、０〜３１である。
本発明によれば、例えばユーザーが時計のボタン等を操作して、第１指針にカレンダー情報の種類の１つを指示させると、第２指針は、第１指針が指示する種類のカレンダー情報の値を指示する。これにより、ユーザーは、第１指針が指示するカレンダー情報の種類と、第２指針が指示するカレンダー情報の値とに基づいて、カレンダー情報を確認できる。そして、ユーザーは、例えば時計のボタン等を操作して、第１指針が指示するカレンダー情報の種類を切り替えることで、複数種類のカレンダー情報を確認できる。
また、第２指針はカレンダー情報の値（０〜３１）を指示すればよいので、例えば、第２指針が、１日〜３１日を示す記号や目盛と、１月〜１２月を示す記号や目盛と、０年〜３年を示す記号や目盛を指示することで、第２指針のみで複数種類のカレンダー情報（１日〜３１日、１月〜１２月、０年〜３年）を指示する場合と比べて、第２指針の指示位置の間隔を広くでき、カレンダー情報を分かり易く表示できる。
また、本発明によれば、ユーザーは、時計のボタン等を操作して、第１指針に充電量を指示させることで、充電量を確認できる。
また、本発明では、充電量の指示は、カレンダー情報の種類を指示する第１指針によって行われるため、充電量を指示する専用の指針を別途設ける必要がなく、当該専用の指針を別途設ける場合と比べて、時計が備える指針の数を少なくできる。
また、本発明によれば、第１指針が充電量を指示している際に、例えば、第２指針に特定の種類のカレンダー情報の値を指示させることもできる。この場合、ユーザーは、充電量とカレンダー情報とを同時に確認できる。
【０００８】
本発明の時計において、前記第１指針が指示可能なカレンダー情報の種類は、日、月、閏年からの経過年であり、前記第２指針が指示可能なカレンダー情報の値は、０〜３１であることが好ましい。
【０００９】
本発明によれば、第２指針は、０〜３１のうち、第１指針が日を指示する場合には、１〜３１のいずれかを指示し、第１指針が月を指示する場合には、１〜１２のいずれかを指示し、第１指針が経過年を指示する場合には、０〜３のいずれかを指示する。したがって、第２指針は、０〜３１の３２個の値を指示することで、日、月、経過年の値を示す複数種類のカレンダー情報の値を指示できる。
【００１０】
本発明の時計において、前記第１指針が前記充電量を指示する場合、前記第２指針は、日の値を指示することが好ましい。
本発明によれば、ユーザーは、第１指針が充電量を指示することで、充電量を確認できると共に、カレンダー情報の種類が日であることを確認でき、第２指針が指示する値に基づいて、日の値を確認できる。
このため、ユーザーは、第１指針に充電量を指示させておけば、日の値と充電量を常時確認できるため、時計をさらに使い易くできる。
【００１１】
本発明の時計において、前記第１指針は、曜日を指示可能に構成され、前記第１指針が曜日を指示する場合、前記第２指針は、日の値を指示することが好ましい。
本発明によれば、ユーザーは、第１指針が曜日を指示することで、曜日を確認できると共に、カレンダー情報の種類が日であることを確認でき、第２指針が指示する値に基づいて、日の値を確認できる。
ユーザーは、一般的に、日の値と共に曜日を確認したいと考えることがある。このため、ユーザーが日の値と共に曜日を確認できることで、時計をさらに使い易くできる。
また、本発明によれば、第１指針および第２指針に加えて、曜日を指示する専用の指針を別途設ける必要がないため、当該専用の指針を別途設ける場合と比べて、時計が備える指針の数を少なくできる。
【００１２】
本発明の時計において、前記第１指針は、前記充電量を指示していない場合に、前記充電量が予め設定された閾値未満になると、前記充電量を指示することが好ましい。
本発明によれば、第１指針が充電量を指示していない場合でも、二次電池の充電量が低下して閾値未満になれば、第１指針は自動的に充電量を指示するため、ユーザーは充電量が低下していることを確認できる。これにより、二次電池の充電量が低下していることを確実にユーザーに報知でき、充電がされずにシステムダウンが起こる可能性を低減できる。
【００１３】
本発明の時計において、前記時計は、カレンダー情報の表示機能以外の他の機能を実行可能であり、前記第１指針は、前記他の機能の種類を指示可能に構成され、前記第１指針が前記他の機能の種類を指示する場合に、指示された種類の機能に関する情報を指示する第３指針を備えることが好ましい。
【００１４】
他の機能は、例えばアラーム機能であり、他の機能に関する情報は、例えばアラーム時刻である。
本発明によれば、ユーザーは、第１指針が指示する機能の種類を確認することで、第３指針が何の機能に関する情報を指示しているかを確認できる。
また、本発明によれば、第１指針が他の機能の種類を指示している際に、例えば、第２指針に特定の種類のカレンダー情報の値を指示させることもできる。この場合、ユーザーは、他の機能に関する情報とカレンダー情報とを同時に確認できる。
【００１５】
本発明の時計において、前記他の機能は、前記充電量が予め設定された閾値未満になると、機能の実行が規制されることが好ましい。
本発明によれば、充電量が低下して閾値未満になれば、他の機能の実行が規制されるため、規制されない場合と比べて消費電力を低減でき、システムダウンの可能性を低減できる。また、他の機能が正しく実行されない事態が発生することを防止できる。
【００１６】
本発明の時計において、前記第１指針を駆動する第１駆動手段と、前記第２指針を駆動する第２駆動手段と、操作手段と、前記操作手段に対する操作を検出し、前記操作を検出すると検出信号を出力する検出部と、前記検出信号が入力されると、前記第１駆動手段を制御して、前記第１指針の指示位置を切り替え、前記第１指針がカレンダー情報の種類を指示している場合、前記第２駆動手段を制御して、前記第１指針が指示する種類のカレンダー情報の値を前記第２指針に指示させるカレンダー表示処理部と、を備えることが好ましい。
【００１７】
本発明によれば、ユーザーが操作手段を操作することで、検出部から検出信号が出力され、当該検出信号がカレンダー表示処理部に入力される。そして、カレンダー表示処理部は、第１指針の指示位置を切り替え、第１指針がカレンダー情報の種類を指示している場合、第１指針が指示する種類のカレンダー情報の値を第２指針に指示させる。
これによれば、ユーザーは、確認したい種類のカレンダー情報や充電量を、操作手段を操作することで直ちに確認できる。
【図面の簡単な説明】
【００１８】
【図１】本発明の第１実施形態に係るアナログ電子時計の正面図である。
【図２】第１実施形態におけるアナログ電子時計の構成を示すブロック図である。
【図３】第１実施形態におけるカレンダー表示処理を示すフローチャートである。
【図４】第１実施形態におけるアナログ電子時計の表示例を示す図である。
【図５】第１実施形態におけるアナログ電子時計の他の表示例を示す図である。
【図６】本発明の第２実施形態に係るカレンダー表示処理を示すフローチャートである。
【図７】本発明の第３実施形態に係るアナログ電子時計の正面図である。
【図８】第３実施形態におけるアナログ電子時計の構成を示すブロック図である。
【図９】第３実施形態におけるカレンダー表示処理を示すフローチャートである。
【図１０】第３実施形態におけるカレンダー表示処理を示すフローチャートである。
【図１１】本発明の第４実施形態に係るカレンダー表示処理を示すフローチャートである。
【図１２】第４実施形態におけるカレンダー表示処理を示すフローチャートである。
【発明を実施するための形態】
【００１９】
以下に、本発明の実施形態を図面に基づいて説明する。
［第１実施形態］
図１は、アナログ電子時計１を示す正面図である。ここで、アナログ電子時計１は、本発明の時計を構成する。
図１に示すように、アナログ電子時計１は、円形の文字板２を備えている。文字板２には、時計表面側から見て、中心から１２時方向にずれた位置に円形の第１小窓２０が設けられ、中心から６時方向にずれた位置に円形の第２小窓３０が設けられている。
【００２０】
また、アナログ電子時計１は、通常の時刻表示を行う基本時計用指針としての時針１１、分針１２、秒針３１を備えている。時針１１、分針１２は、回転軸が文字板２の中心に位置している。秒針３１は、第２小窓３０に配置されている。
【００２１】
また、アナログ電子時計１は、回転軸が文字板２の中心に位置しているセンター針である第２指針１３を備えている。そして、文字板２の外周表面には、０から３１の数字が、外周縁に沿って表示されている。ここで、０から３１の数字は、時計表面側から見て、１２時位置から右回りに順番に配置されている。なお、１〜３１の数字は等間隔で配置されているが、０と１の数字の間隔、および、３１と０の数字の間隔は、他の数字の間隔よりも広い。これらの数字を第２指針１３が指示することで、日、月、閏年からの経過年（０，＋１〜＋３）のいずれかの種類のカレンダー情報の値が指示される。
【００２２】
また、アナログ電子時計１は、第１小窓２０に配置された第１指針２１を備えている。そして、第１小窓２０の周囲には、第１小窓２０の７時位置の近傍から１１時位置の近傍にかけて、１１時位置に向かう方向の端部（先端）が太く、７時位置に向かう方向の端部（基端）が細い三日月鎌状の記号２２が表示されている。この記号２２は二次電池５（図２参照）のパワーインジケーターである。また、第１小窓２０の周囲には、第１小窓２０の２時位置の近傍に、月を示す「Ｍ」の文字が表示され、４時位置の近傍に、経過年を示す「Ｌ」の文字が表示されている。
第１指針２１は、記号２２における二次電池５の充電量（電池残量）に応じた位置を指示することで、充電量を指示する。また、第１指針２１は、カレンダー情報の種類を指示する。すなわち、第１指針２１は、記号２２を指示することで、充電量を指示すると共に、カレンダー情報の種類が日であることを指示する。また、第１指針２１は、「Ｍ」を指示することで、カレンダー情報の種類が月であることを指示する。また、第１指針２１は、「Ｌ」を指示することで、カレンダー情報の種類が経過年であることを指示する。
また、アナログ電子時計１には、外部操作部材であるリューズ３と、同じく外部操作部材であるボタン４とが設けられている。ここで、ボタン４は本発明の操作手段を構成する。
【００２３】
図２は、アナログ電子時計１の構成を示すブロック図である。
図２に示すように、各指針１１〜１３，２１，３１は、４つのステップモーターでそれぞれ駆動される。すなわち、秒針３１は、秒針用ステップモーター４１で駆動され、時針１１、分針１２は、時分針用ステップモーター４２で駆動され、第１指針２１は、第１指針用ステップモーター４３で駆動され、第２指針１３は、第２指針用ステップモーター４４で駆動される。ここで、第１指針用ステップモーター４３は本発明の第１駆動手段を構成し、第２指針用ステップモーター４４は本発明の第２駆動手段を構成する。なお、秒針３１、時針１１、分針１２は、共通のステップモーターで駆動されていてもよい。
また、アナログ電子時計１は、発電装置であるソーラーパネル６と、ソーラーパネル６で発電された電気エネルギーが充電される二次電池５を備えている。二次電池５は、アナログ電子時計１の電源を構成する。
【００２４】
また、各ステップモーター４１〜４４の駆動制御を行うために、アナログ電子時計１には、駆動制御回路５０が内蔵されている。
駆動制御回路５０は、第１スイッチ検出部５１、第２スイッチ検出部５２、機能処理部５３、時刻針駆動制御部５４、第１指針駆動制御部５５、第２指針駆動制御部５６、カレンダー情報記憶部５７、充電量検出部５８を備えている。
【００２５】
第１スイッチ検出部５１は、ボタン４の押し込み操作を検出し、押し込み操作があった場合にその検出信号を機能処理部５３に出力する。ここで、第１スイッチ検出部５１は本発明の検出部を構成する。
第２スイッチ検出部５２は、リューズ３の操作を検出し、操作があった場合に操作に応じた検出信号を機能処理部５３に出力する。
時刻針駆動制御部５４は、水晶振動子等の基準信号発生回路から出力される基準信号（例えば１Ｈｚの信号）を利用してモーター駆動パルスを出力し、秒針用ステップモーター４１、時分針用ステップモーター４２を制御して、時針１１、分針１２、秒針３１の駆動を制御する。
第１指針駆動制御部５５は、基準信号発生回路から出力される基準信号を利用してモーター駆動パルスを出力し、第１指針用ステップモーター４３を制御して、第１指針２１の駆動を制御する。
第２指針駆動制御部５６は、基準信号発生回路から出力される基準信号を利用してモーター駆動パルスを出力し、第２指針用ステップモーター４４を制御して、第２指針１３の駆動を制御する。
【００２６】
カレンダー情報記憶部５７には、カレンダー情報として、日の値を示す日情報、月の値を示す月情報、経過年の値を示す経過年情報が記憶されている。カレンダー情報記憶部５７に記憶されているカレンダー情報は、後述するカレンダー情報設定部５３３により設定され、また、後述するカレンダー情報更新部５３４によって更新される。
【００２７】
充電量検出部５８は、二次電池５の充電量（電池残量）を検出する。充電量の検出は、例えば、一定時間間隔で行われる。
【００２８】
機能処理部５３は、アナログ電子時計１における各種機能の処理を行うものである。機能処理部５３は、時刻表示処理部５３１、カレンダー表示処理部５３２、カレンダー情報設定部５３３、カレンダー情報更新部５３４を備えている。
時刻表示処理部５３１は、時刻針駆動制御部５４を利用し、時針１１、分針１２、秒針３１で現時刻の時分秒を表示させるものである。
【００２９】
カレンダー情報設定部５３３は、カレンダー情報設定モードにおいて、ボタン４やリューズ３の操作に基づいて、カレンダー情報記憶部５７に記憶されたカレンダー情報の値を設定する。なお、具体的なカレンダー情報の設定処理については後述する。
カレンダー情報更新部５３４は、基準信号発生回路から出力される基準信号を利用して時刻を計時し、時間の経過に応じてカレンダー情報記憶部５７に記憶されたカレンダー情報の値を更新する。このため、カレンダー情報記憶部５７には、現在の日情報、月情報、経過年情報が記憶されている。
【００３０】
カレンダー表示処理部５３２は、第１処理部５３２Ａ、第２処理部５３２Ｂを備える。
第１処理部５３２Ａは、第１指針用ステップモーター４３を制御して、第１指針２１の移動を制御する。
具体的に、第１処理部５３２Ａは、ボタン４が押し込まれ、第１スイッチ検出部５１から検出信号が入力されると、第１指針２１を移動させ、第１指針２１にカレンダー情報の種類、および、充電量検出部５８で検出された充電量を切り替えて指示させる。
ここで、第１処理部５３２Ａは、第１指針２１にカレンダー情報の種類が日であることを指示させる際、記号２２を指示させ、充電量検出部５８で検出された充電量を指示させる。
【００３１】
第２処理部５３２Ｂは、第２指針用ステップモーター４４を制御して、第２指針１３の移動を制御する。
具体的に、第２処理部５３２Ｂは、第１指針２１が指示するカレンダー情報の種類が切り替えられると、カレンダー情報記憶部５７に記憶されているカレンダー情報のうち、第１指針２１が指示する種類のカレンダー情報の値に対応する数字を、第２指針１３に指示させ、当該カレンダー情報の値を指示させる。
【００３２】
［カレンダー情報設定処理］
次に、カレンダー情報記憶部５７に記憶されたカレンダー情報の設定処理について説明する。
リューズ３が引き出されると、機能処理部５３は、カレンダー情報設定モードに移行する。この状態でボタン４が押されると、第１処理部５３２Ａは、第１指針２１を移動させ、記号２２、月を示す「Ｍ」、経過年を示す「Ｌ」を順次指示させる。また、リューズ３が回転操作されると、第２処理部５３２Ｂは、第２指針１３を移動させる。
そして、カレンダー情報設定部５３３は、第１指針２１が記号２２を指示した状態で、リューズ３が回転操作されて第２指針１３が移動し、その後リューズ３が押し込まれると、第２指針１３が指示している数字の値を、カレンダー情報記憶部５７の日情報の値に設定する。
また、カレンダー情報設定部５３３は、第１指針２１が月を示す「Ｍ」を指示した状態で、リューズ３が回転操作されて第２指針１３が移動し、その後リューズ３が押し込まれると、第２指針１３が指示している数字の値を、カレンダー情報記憶部５７の月情報の値に設定する。
また、カレンダー情報設定部５３３は、第１指針２１が経過年を示す「Ｌ」を指示した状態で、リューズ３が回転操作されて第２指針１３が移動し、その後リューズ３が押し込まれると、第２指針１３が指示している数字の値を、カレンダー情報記憶部５７の経過年情報の値に設定する。
そして、上述したようにリューズ３が押し込まれると、機能処理部５３は、通常モードに移行する。
なお、本実施形態では、カレンダー情報設定モードにおいて、リューズ３が回転操作されることで、第２指針１３は移動するが、例えば、ボタン４とは別のボタンをアナログ電子時計１に設け、このボタンが押し込まれることで、第２指針１３が移動するようにしてもよい。
【００３３】
［カレンダー表示処理］
次に、カレンダー表示処理部５３２が実行するカレンダー表示処理について説明する。
図３は、カレンダー表示処理を示すフローチャートである。カレンダー表示処理は、機能処理部５３が通常モードのときに実行される。
カレンダー表示処理が実行されると、第１処理部５３２Ａは、図１に示すように、第１指針２１を移動させて、記号２２における充電量に応じた位置を指示させ、充電量を指示させる。また、これにより、カレンダー情報の種類が日であることを指示させる。また、第２処理部５３２Ｂは、第２指針１３を移動させて、カレンダー情報記憶部５７に記憶されている日情報の値（１〜３１）に対応した数字を指示させ、当該日情報の値を指示させる。これらにより、日情報が表示される（Ｓ１１）。なお、この表示状態が、通常時の表示状態となる。
【００３４】
次に、カレンダー表示処理部５３２は、第１スイッチ検出部５１から検出信号が入力されたか否かを判定することで、ボタン４が押されたか否かを判定する（Ｓ１２）。
Ｓ１２でＮＯと判定された場合、第１処理部５３２Ａおよび第２処理部５３２Ｂは、Ｓ１１の処理を継続する。なお、Ｓ１２でＹＥＳと判定されないまま、時間が経過し、カレンダー情報記憶部５７に記憶されている日情報の値が更新された場合は、第２処理部５３２Ｂは第２指針１３を移動させて更新後の日情報の値を指示させる。
一方、Ｓ１２でＹＥＳと判定された場合、第１処理部５３２Ａは、図４に示すように、第１指針２１を移動させて、月を示す「Ｍ」を指示させ、カレンダー情報の種類が月であることを指示させる。また、第２処理部５３２Ｂは、第２指針１３を移動させて、カレンダー情報記憶部５７に記憶されている月情報の値（１〜１２）に対応した数字を指示させ、当該月情報の値を指示させる。これらにより、月情報が表示される（Ｓ１３）。
【００３５】
次に、カレンダー表示処理部５３２は、第１スイッチ検出部５１から検出信号が入力されたか否かを判定する（Ｓ１４）。
Ｓ１４でＮＯと判定された場合、第１処理部５３２Ａおよび第２処理部５３２Ｂは、Ｓ１３の処理を継続する。なお、Ｓ１４でＹＥＳと判定されないまま、時間が経過し、カレンダー情報記憶部５７に記憶されている月情報の値が更新された場合は、第２処理部５３２Ｂは第２指針１３を移動させて更新後の月情報の値を指示させる。
一方、Ｓ１４でＹＥＳと判定された場合、第１処理部５３２Ａは、図５に示すように、第１指針２１を移動させて、経過年を示す「Ｌ」を指示させ、カレンダー情報の種類が経過年であることを指示させる。また、第２処理部５３２Ｂは、第２指針１３を移動させて、カレンダー情報記憶部５７に記憶されている経過年情報の値（０〜３）に対応した数字を指示させ、当該経過年情報の値を指示させる。これらにより、経過年情報が表示される（Ｓ１５）。
【００３６】
次に、カレンダー表示処理部５３２は、第１スイッチ検出部５１から検出信号が出力されたか否かを判定する（Ｓ１６）。
Ｓ１６でＮＯと判定された場合、第１処理部５３２Ａおよび第２処理部５３２Ｂは、Ｓ１５の処理を継続する。なお、Ｓ１６でＹＥＳと判定されないまま、時間が経過し、カレンダー情報記憶部５７に記憶されている経過年情報の値が更新された場合は、第２処理部５３２Ｂは第２指針１３を移動させて更新後の経過年情報の値を指示させる。
一方、Ｓ１６でＹＥＳと判定された場合、カレンダー表示処理部５３２は、処理をＳ１１に戻し、Ｓ１１〜Ｓ１６の処理を繰り返し実行する。
【００３７】
［第１実施形態の作用効果］
ユーザーがボタン４を操作して、第１指針２１にカレンダー情報の種類の１つを指示させると、第２指針１３は、第１指針２１が指示する種類のカレンダー情報の値を指示する。これにより、ユーザーは、第１指針２１が指示するカレンダー情報の種類と、第２指針１３が指示するカレンダー情報の値とに基づいて、カレンダー情報を確認できる。そして、ユーザーは、ボタン４を操作して、第１指針２１が指示するカレンダー情報の種類を切り替えることで、日情報、月情報、経過年情報を確認できる。すなわち、ユーザーは、確認したい種類のカレンダー情報を、ボタン４を操作することで直ちに確認できる。
また、第２指針１３はカレンダー情報の値（０〜３１）を指示すればよいので、例えば、第２指針１３が、１日〜３１日を示す記号や目盛と、１月〜１２月を示す記号や目盛と、０年〜３年を示す記号や目盛を指示することで、第２指針１３のみで日情報、月情報、経過年情報を指示する場合と比べて、第２指針１３の指示位置の間隔を広くでき、カレンダー情報を分かり易く表示できる。
【００３８】
第２指針１３は、第１指針２１が充電量を指示する場合、日情報の値を指示する。このため、ユーザーは、第１指針２１が充電量を指示することで、充電量を確認できると共に、カレンダー情報の種類が日であることを確認でき、第２指針１３が指示する値に基づいて、日情報を確認できる。すなわち、ユーザーは、第１指針に充電量を指示させておけば、日の値と充電量を常時確認できるため、アナログ電子時計１をさらに使い易くできる。
また、充電量の指示は、カレンダー情報の種類を指示する第１指針２１によって行われるため、充電量を指示する専用の指針を別途設ける必要がなく、当該専用の指針を別途設ける場合と比べて、アナログ電子時計１が備える指針の数を少なくできる。これにより、ステップモーターや輪列の数も少なくできる。
【００３９】
第２指針１３は、０〜３１のうち、第１指針２１が日を指示する場合には、１〜３１のいずれかを指示し、第１指針２１が月を指示する場合には、１〜１２のいずれかを指示し、第１指針２１が経過年を指示する場合には、０〜３のいずれかを指示する。したがって、第２指針１３は、０〜３１の３２個の値を指示することで、日情報の値、月情報の値、経過年情報の値を指示できる。
【００４０】
［第２実施形態］
第２実施形態のアナログ電子時計では、第１処理部５３２Ａは、充電量検出部５８で検出された充電量が予め設定された閾値未満になった場合、第１指針２１に充電量を指示させる。その他の構成は、第１実施形態のアナログ電子時計１と同じである。
【００４１】
図６は、第２実施形態におけるカレンダー表示処理を示すフローチャートである。ここで、Ｓ１１〜Ｓ１６は、第１実施形態のカレンダー表示処理と同じため、説明を省略する。
第２実施形態のカレンダー表示処理では、Ｓ１１の処理の後、第１処理部５３２Ａは、充電量検出部５８で検出された充電量が、予め設定された閾値未満か否かを判定し、ＮＯと判定した場合、処理をＳ１２に進め、ＹＥＳと判定した場合、処理をＳ１１に戻す（Ｓ２１）。
同様に、第１処理部５３２Ａは、Ｓ１３の処理の後、充電量が閾値未満か否かを判定し、ＮＯと判定した場合、処理をＳ１４に進め、ＹＥＳと判定した場合、処理をＳ１１に戻す（Ｓ２２）。また、Ｓ１５の処理の後、充電量が閾値未満か否かを判定し、ＮＯと判定した場合、処理をＳ１６に進め、ＹＥＳと判定した場合、処理をＳ１１に戻す（Ｓ２３）。
【００４２】
これによれば、第１指針２１が月を示す「Ｍ」または経過年を示す「Ｌ」を指示していても、充電量が閾値未満になれば、Ｓ２２，Ｓ２３でＹＥＳと判定され、処理がＳ１１に戻り、第１指針２１は充電量を指示し、第２指針１３は日情報の値を指示する。
また、第１指針２１が充電量を指示している状態で、充電量が閾値未満になった場合、Ｓ２１で常にＹＥＳと判定され、Ｓ１１，Ｓ２１の処理が繰り返されるため、ボタン４が押されても、第１指針２１は充電量を継続して指示する。
なお、Ｓ２１の処理はなくてもよい。この場合、第１指針２１が充電量を指示している状態で、充電量が閾値未満になった場合、ボタン４が押されると、Ｓ１３で月情報が表示される。そして、その直後、Ｓ２２でＹＥＳと判定され、処理がＳ１１に戻り、第１指針２１は充電量を指示する。
【００４３】
［第２実施形態の作用効果］
第１指針２１が充電量を指示していない場合でも、二次電池５の充電量が低下して閾値未満になれば、第１指針２１は自動的に充電量を指示するため、ユーザーは充電量が低下していることを確認できる。これにより、二次電池５の充電量が低下していることを確実にユーザーに報知でき、充電がされずにシステムダウンが起こる可能性を低減できる。
【００４４】
［第３実施形態］
第３実施形態のアナログ電子時計１Ａは、カレンダー表示機能以外の他の機能としてアラーム機能を備えている。
図７は、アナログ電子時計１Ａを示す正面図である。なお、第１実施形態のアナログ電子時計１と同じ構成については、同じ符号を付与し、説明は省略する。
アナログ電子時計１Ａでは、第１小窓２０の周囲において、月を示す「Ｍ」の文字は、第１小窓２０の５時位置の近傍に表示され、経過年を示す「Ｌ」の文字は、第１小窓２０の７時位置の近傍に表示されている。そして、第１小窓２０の１時位置の近傍から４時位置の近傍にかけて、七曜の日曜日から土曜日を示す「Ｓ」、「Ｍ」、「Ｔ」、「Ｗ」、「Ｔ」、「Ｆ」、「Ｓ」の文字が表示されている。また、第１小窓２０の１２時位置の近傍には、アラーム機能を示す「ＡＬ」の文字が表示されている。
第１指針２１は、七曜を示す「Ｓ」〜「Ｓ」を指示することで、曜日を指示する。
また、第１指針２１は、カレンダー表示機能以外の他の機能の種類を指示する。本実施形態では、第１指針２１は、「ＡＬ」を指示することで、アラーム機能を指示する。
また、第１指針２１は、記号２２、「Ｓ」〜「Ｓ」、「ＡＬ」を指示することで、カレンダー情報の種類が日であることを指示する。
【００４５】
また、アナログ電子時計１Ａでは、第２小窓３０は、文字板２の中心から９時方向にずれた位置に設けられている。そして、文字板２の中心から６時方向にずれた位置には、円形の第３小窓６０が設けられている。
そして、第３小窓６０には、第１機能針６１、第２機能針６２が設けられている。機能針６１，６２は、アラーム時刻の時分を指示する。第１機能針６１は、アラーム時刻の時を指示し、第２機能針６２は、アラーム時刻の分を指示する。ここで、機能針６１，６２は、本発明の第３指針を構成する。
【００４６】
図８は、アナログ電子時計１Ａの構成を示すブロック図である。
図８に示すように、機能針６１，６２は、機能針用ステップモーター４５で駆動される。また、駆動制御回路５０Ａは、機能針駆動制御部５９を備え、機能針駆動制御部５９は、基準信号発生回路から出力される基準信号を利用してモーター駆動パルスを出力し、機能針用ステップモーター４５を制御して、機能針６１，６２の駆動を制御する。
【００４７】
アナログ電子時計１Ａでは、第１処理部５３２Ａは、ボタン４が押されると、第１指針２１を移動させ、第１指針２１に、曜日、月を示す「Ｍ」、経過年を示す「Ｌ」、充電量、アラーム機能を示す「ＡＬ」を切り替えて指示させる。
なお、カレンダー情報記憶部５７には、カレンダー情報として、曜日を示す曜日情報が記憶されている。そして、第１処理部５３２Ａは、七曜を示す「Ｓ」〜「Ｓ」のうち、カレンダー情報記憶部５７に記憶されている曜日情報に対応した文字を第１指針２１に指示させ、曜日を指示させる。
【００４８】
また、アナログ電子時計１Ａの機能処理部５３Ａは、アラーム機能部５３５を備えている。
アラーム機能部５３５は、現時刻が予め設定されたアラーム時刻になると、これを検出し、アナログ電子時計１Ａが備える図示しない鳴動装置を利用してユーザーに報知する。
また、アラーム機能部５３５は、機能針用ステップモーター４５を制御して、機能針６１，６２の移動を制御する。
具体的に、アラーム機能部５３５は、第１指針２１が「ＡＬ」を指示する場合、予め設定されたアラーム時刻の時分を、機能針６１，６２に指示させる。なお、第１指針２１が「ＡＬ」以外の文字や記号を指示した場合、時刻表示処理部５３１が、現在時刻の時分を機能針６１，６２に指示させる。
なお、アラーム時刻は、例えば、第１指針２１に「ＡＬ」を指示させ、この状態でリューズ３を回転操作して機能針６１，６２に所定の時刻を指示させることで設定できる。
【００４９】
［カレンダー表示処理］
図９、図１０は、第３実施形態のカレンダー表示処理を示すフローチャートである。
カレンダー表示処理が実行されると、第１処理部５３２Ａは、第１指針２１を移動させて、七曜を示す「Ｓ」〜「Ｓ」のうち、カレンダー情報記憶部５７に記憶されている曜日情報に対応する文字を指示させ、曜日を指示させる。また、これにより、カレンダー情報の種類が日であることを指示させる。また、第２処理部５３２Ｂは、第２指針１３を移動させて、カレンダー情報記憶部５７に記憶されている日情報の値に対応した数字を指示させ、当該日情報の値を指示させる。また、時刻表示処理部５３１は、機能針６１，６２に現在時刻の時分を指示させる（Ｓ３１）。なお、この表示状態が、通常時の表示状態となる。
【００５０】
次に、機能処理部５３Ａは、ボタン４が押されたか否かを判定する（Ｓ３２）。Ｓ３２でＮＯと判定された場合、機能処理部５３Ａは、処理をＳ３１に戻す。
Ｓ３２でＹＥＳと判定された場合、第１処理部５３２Ａは、第１指針２１を移動させて、月を示す「Ｍ」を指示させる。また、第２処理部５３２Ｂは、第２指針１３を移動させて、カレンダー情報記憶部５７に記憶されている月情報の値に対応した数字を指示させる（Ｓ３３）。
【００５１】
次に、機能処理部５３Ａは、ボタン４が押されたか否かを判定する（Ｓ３４）。Ｓ３４でＮＯと判定された場合、機能処理部５３Ａは、処理をＳ３３に戻す。
Ｓ３４でＹＥＳと判定された場合、第１処理部５３２Ａは、第１指針２１を移動させて、経過年を示す「Ｌ」を指示させる。また、第２処理部５３２Ｂは、第２指針１３を移動させて、カレンダー情報記憶部５７に記憶されている経過年情報の値に対応した数字を指示させる（Ｓ３５）。
【００５２】
次に、機能処理部５３Ａは、ボタン４が押されたか否かを判定する（Ｓ３６）。Ｓ３６でＮＯと判定された場合、機能処理部５３Ａは、処理をＳ３５に戻す。
Ｓ３６でＹＥＳと判定された場合、第１処理部５３２Ａは、第１指針２１を移動させて、充電量を指示させる。また、第２処理部５３２Ｂは、第２指針１３を移動させて、カレンダー情報記憶部５７に記憶されている日情報の値に対応した数字を指示させる（Ｓ３７）。
【００５３】
次に、機能処理部５３Ａは、ボタン４が押されたか否かを判定する（Ｓ３８）。Ｓ３８でＮＯと判定された場合、機能処理部５３Ａは、処理をＳ３７に戻す。
Ｓ３８でＹＥＳと判定された場合、第１処理部５３２Ａは、第１指針２１を移動させて、「ＡＬ」を指示させ、他の機能の種類がアラーム機能であることを指示させる。また、第２処理部５３２Ｂは、第２指針１３を移動させて、カレンダー情報記憶部５７に記憶されている日情報の値に対応した数字を指示させる。また、アラーム機能部５３５は、機能針６１，６２に予め設定されたアラーム時刻の時分を指示させる（Ｓ３９）。
次に、機能処理部５３Ａは、ボタン４が押されたか否かを判定し（Ｓ４０）、ＮＯと判定した場合には、処理をＳ３９に戻し、ＹＥＳと判定した場合には、処理をＳ３１に戻し、Ｓ３１〜Ｓ４０の処理を繰り返し実行する。
【００５４】
［第３実施形態の作用効果］
第１指針２１が曜日を指示する場合、第２指針１３は、日の値を指示する。このため、ユーザーは、第１指針２１が曜日を指示することで、曜日を確認できると共に、カレンダー情報の種類が日であることを確認でき、第２指針１３が指示する値に基づいて、日情報を確認できる。これにより、アナログ電子時計１Ａをさらに使い易くできる。また、曜日を指示する専用の指針を別途設ける必要がないため、当該専用の指針を別途設ける場合と比べて、アナログ電子時計１Ａが備える指針の数を少なくできる。
また、ユーザーは、第１指針２１が「ＡＬ」を指示していることを確認することで、機能針６１，６２がアラーム時刻を指示していることを確認できる。
また、第１指針２１が「ＡＬ」を指示している際に、第２指針１３は日情報の値を指示するため、ユーザーは、アラーム時刻と日情報とを同時に確認できる。
【００５５】
［第４実施形態］
第４実施形態のアナログ電子時計は、第３実施形態のアナログ電子時計１Ａの処理に加えて、次の処理を行う。すなわち、第１処理部５３２Ａは、充電量検出部５８で検出された充電量が予め設定された閾値未満になった場合、第１指針２１に充電量を指示させ、アラーム機能部５３５の動作を規制する。
【００５６】
図１１、図１２は、第４実施形態におけるカレンダー表示処理を示すフローチャートである。ここで、Ｓ３１〜Ｓ４０は、第３実施形態のカレンダー表示処理と同じため、説明を省略する。
第３実施形態のカレンダー表示処理では、Ｓ３１の処理の後、第１処理部５３２Ａは、充電量検出部５８で検出された充電量が、予め設定された閾値未満か否かを判定する。そして、ＮＯと判定した場合、処理をＳ３２に進め、ボタン４が押されたか否かを判定する。一方、ＹＥＳと判定した場合、処理をＳ５６に進める（Ｓ５１）。
また、第１処理部５３２Ａは、同様の判定を、Ｓ３３，Ｓ３５，Ｓ３７，Ｓ３９の処理の後にも実行する（Ｓ５２〜Ｓ５５）。
Ｓ５６では、第１処理部５３２Ａは、アラーム機能部５３５の動作を規制する。すなわち、アラーム機能部５３５が動作している場合には、アラーム機能部５３５の動作を終了させ、動作していない場合には、動作することを禁止する。そして、第１処理部５３２Ａは、処理をＳ３７に進める。そして、Ｓ３７で、第１処理部５３２Ａは、第１指針２１に充電量を指示させる。
なお、第１処理部５３２Ａは、アラーム機能部５３５の動作を規制した後、二次電池５が充電され、充電量検出部５８で検出された充電量が閾値以上になった場合には、規制を解除する。
また、Ｓ５４の処理は、第２実施形態のＳ２１の処理と同様に、なくてもよい。
【００５７】
［第４実施形態の作用効果］
第１指針２１が充電量を指示していない場合でも、二次電池５の充電量が低下して閾値未満になれば、第１指針２１は自動的に充電量を指示するため、ユーザーは充電量が低下していることを確認できる。これにより、二次電池５の充電量が低下していることを、確実にユーザーに報知でき、充電がされずにシステムダウンが起こる可能性を低減できる。
また、充電量が低下して閾値未満になれば、アラーム機能の実行が規制されるため、規制されない場合と比べて消費電力を低減でき、システムダウンの可能性をさらに低減できる。また、アラーム機能が正しく実行されない事態が発生することを防止できる。
【００５８】
［他の実施形態］
なお、本発明は前記実施形態に限定されず、本発明の要旨の範囲内で種々の変形実施が可能である。
前記各実施形態では、第１指針２１は、カレンダー情報の種類が、日、月、経過年であることを指示可能に構成されているが、本発明はこれに限定されない。例えば、日、月のみ指示可能に構成されていてもよい。この場合、第２指針１３は、１〜３１を指示可能に構成されていればよい。
【００５９】
前記各実施形態では、第１指針２１が充電量や曜日や「ＡＬ」を指示する場合に、第２指針１３は、日情報の値を指示しているが、本発明はこれに限定されない。すなわち、この場合、第２指針１３は、日情報の値ではなく、月情報の値や、経過年情報の値や、その他の情報を指示してもよい。なお、この場合は、例えば、第１小窓２０の周囲に日を示す記号を表示させ、この記号を第１指針２１が指示した場合、第２指針１３が日情報の値を指示するようにすればよい。
【００６０】
前記各実施形態では、第２指針１３は、０〜３１の数字を指示することで、カレンダー情報の値を指示しているが、本発明はこれに限定されない。例えば、０〜３１に対応した記号等を指示することで、カレンダー情報の値を指示してもよい。
【００６１】
前記各実施形態では、第２処理部５３２Ｂは、第１指針２１が指示するカレンダー情報の種類が切り替えられると、これに連動して、第１指針２１が指示する種類のカレンダー情報の値を第２指針１３に指示させているが、本発明はこれに限定されない。
すなわち、第２処理部５３２Ｂは、第２指針１３の移動を、第１指針２１に連動させて行わなくてもよい。
例えば、リューズ３が引き出された状態で、第１指針２１の指示位置の切り替えが行われるようにし、第２処理部５３２Ｂが、リューズ３が押し込まれたタイミングで、第２指針１３を移動させるようにしてもよい。
【００６２】
前記第３、第４実施形態では、第１指針２１が七曜を示す「Ｓ」〜「Ｓ」を指示することで、曜日が表示されているが、本発明はこれに限定されない。
例えば、前記各実施形態において、第１小窓２０の周囲にカレンダー情報の種類が曜日であることを示す記号を表示させ、この記号を第１指針２１に指示させ、かつ、第２指針１３に曜日の値を指示させることで、曜日を表示させてもよい。
また、前記第３、第４実施形態では、機能針６１，６２は、第１指針２１が、曜日、月を示す「Ｍ」、経過年を示す「Ｌ」を指示している場合、現時刻の時分を指示しているが、本発明はこれに限定されない。例えば、アラーム時刻等を指示していてもよい。
【００６３】
前記第３、第４実施形態のアナログ電子時計は、カレンダー表示機能以外の他の機能として、アラーム機能を備えているが、アラーム機能とは別の機能を備えていてもよい。また、他の機能を複数備えていてもよい。
この場合、第１指針２１は、これらの機能の種類を指示可能に構成され、機能針６１，６２は、第１指針２１が他の機能の種類を指示している場合、指示された種類の機能に関する情報を指示する。
アラーム機能とは別の機能としては、時間を計測するクロノグラフ機能や、予め設定された時間からカウントダウン形式で時間を計測するタイマー機能等が例示できる。この場合、機能針６１，６２は、例えば、計測時間を指示する。
また、前記第３、第４実施形態では、２本の機能針６１，６２が設けられているが、本発明はこれに限定されない。例えば、機能針が、タイマー機能の計測時間の分のみ指示する場合には、機能針は１本でもよい。
【００６４】
前記各実施形態では、カレンダー情報の値を第２指針１３が指示しているが、本発明はこれに限定されない。
例えば、カレンダー情報の値を秒針３１が指示するようにしてもよい。秒針３１は、センター針である第２指針１３に比べて指示領域が小さいが、０〜３１の値であれば、ユーザーが認識可能な範囲で指示できる。
【００６５】
前記実施形態では、カレンダー情報記憶部５７に記憶されたカレンダー情報は、カレンダー情報設定処理によって設定されているが、本発明はこれに限定されない。
例えば、標準電波やＧＰＳ（Global Positioning System）衛星から送信される衛星信号等、カレンダー情報を含む電波を外部から受信することで設定してもよい。
【符号の説明】
【００６６】
１，１Ａ…アナログ電子時計、１３…第２指針、２…文字板、２０…第１小窓、２１…第１指針、２２…記号、４…ボタン、４３…第１指針用ステップモーター、４４…第２指針用ステップモーター、４５…機能針用ステップモーター、５…二次電池、５０…駆動制御回路、５１…第１スイッチ検出部、５３…機能処理部、５３２…カレンダー表示処理部、５３２Ａ…第１処理部、５３２Ｂ…第２処理部、５３３…カレンダー情報設定部、５３４…カレンダー情報更新部、５３５…アラーム機能部、５５…第１指針駆動制御部、５６…第２指針駆動制御部、５７…カレンダー情報記憶部、５８…充電量検出部、５９…機能針駆動制御部、６１…第１機能針、６２…第２機能針。
【図１】
2018109651.tif 000003
【図２】
2018109651.tif 000004
【図３】
2018109651.tif 000005
【図４】
2018109651.tif 000006
【図５】
2018109651.tif 000007
【図６】
2018109651.tif 000008
【図７】
2018109651.tif 000009
【図８】
2018109651.tif 000010
【図９】
2018109651.tif 000011
【図１０】
2018109651.tif 000012
【図１１】
2018109651.tif 000013
【図１２】
2018109651.tif 000014